【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
小径軸部と大径部とを有する杵型ロールの当該小径軸部に外嵌する内輪、前記内輪の径方向外側に設けられている筒状の外輪部材、前記内輪と前記外輪部材との間に設けられている複数の転動体、及び、前記外輪部材を支持している軸箱を有する軸受本体と、
前記転動体が設けられている軸受内部、及び、前記内輪と前記ロールとの間に、外部から水が浸入するのを防止するための密封構造体と、
を備えた軸受装置であって、
前記密封構造体は、
前記内輪の径方向外側において前記軸受本体に取り付けられ前記ロールの大径部に形成されている凹周溝に一部が入って当該凹周溝との間でラビリンス隙間を形成するラビリンスリングと、
前記内輪の軸方向側部に取り付けられ前記ロールの一部に接触し当該内輪と当該ロールとの間に外部から水が浸入するのを防止するためのパッキンと、を有している、軸受装置。
【請求項２】
前記内輪は、前記軸方向側部において、径方向外側から、当該内輪の中心線に直交する仮想面上に位置する円環面と、軸方向中央に向かうにしたがって縮径する円弧状面と、前記小径軸部に嵌合している円筒面と、を有し、
前記内輪の前記軸方向側部のうちの少なくとも前記円弧状面に環状の取り付け溝が設けられており、
前記パッキンは、前記取り付け溝に取り付けられている本体部と、当該本体部から前記ロール側に設けられ当該ロールに接触可能である接触部と、を有している、請求項１に記載の軸受装置。
【請求項３】
前記内輪は、前記軸方向側部において、径方向外側から、環状の取り付け溝と、軸方向中央に向かうにしたがって縮径する円弧状面と、前記小径軸部に嵌合している円筒面と、を有し、
前記パッキンは、前記取り付け溝に取り付けられている本体部と、当該本体部から前記ラビリンスリング側に設けられ当該ラビリンスリングの内周面に滑り接触可能である第一接触部と、前記本体部から前記ロール側に設けられ当該ロールに接触可能である第二接触部と、を有している、請求項１に記載の軸受装置。
【請求項４】
前記取り付け溝は、径方向外側に臨む円筒面と、軸方向外側に臨む円環面とからなり、
前記パッキンは、断面四角形であり、当該パッキンの外周部が前記第一接触部であり、当該パッキンの軸方向側部が前記第二接触部である、請求項３に記載の軸受装置。
【請求項５】
前記取り付け溝は、軸方向外側の第一溝部と、当該第一溝部の隣りに設けられ当該第一溝部よりも溝底の直径が小さい第二溝部とを有し、
前記パッキンは、前記第一溝部及び前記第二溝部に嵌まる前記本体部と、当該本体部から径方向外側に延びて設けられている前記第一接触部と、前記本体部から軸方向外側に延びて設けられている前記第二接触部と、を有している請求項３に記載の軸受装置。
【請求項６】
前記内輪は、前記軸方向側部において、径方向外側から、環状の取り付け溝と、当該内輪の中心線に直交する仮想面上に位置する円環面と、軸方向中央に向かうにしたがって縮径する円弧状面と、前記小径軸部に嵌合している円筒面と、を有し、
前記パッキンは、前記取り付け溝に取り付けられていると共に前記円環面を覆っている本体部と、当該本体部から前記ラビリンスリング側に設けられ当該ラビリンスリングの内周面に滑り接触可能である第一接触部と、前記本体部から前記ロール側に設けられ当該ロールに接触可能である第二接触部と、を有している、請求項１に記載の軸受装置。
【請求項７】
小径軸部と大径部とを有する杵型ロールの当該小径軸部に外嵌する内輪、前記内輪の径方向外側に設けられている筒状の外輪部材、前記内輪と前記外輪部材との間に設けられている複数の転動体、及び、前記外輪部材を支持している軸箱を有する軸受本体と、
前記転動体が設けられている軸受内部、及び、前記内輪と前記ロールとの間に、外部から水が浸入するのを防止するための密封構造体と、
を備えた軸受装置であって、
前記密封構造体は、前記内輪の軸方向側部に取り付けられ前記ロールの一部に接触し当該内輪と当該ロールとの間に外部から水が浸入するのを防止するためのパッキンを有している、軸受装置。
【請求項８】
前記密封構造体は、前記内輪の径方向外側において前記軸受本体に取り付けられ前記ロールの大径部に形成されている凹周溝に一部が入って当該凹周溝との間でラビリンス隙間を形成するラビリンスリングを有し、
前記内輪は、前記軸方向側部において、径方向外側から、環状の取り付け溝と、軸方向中央に向かうにしたがって縮径する円弧状面と、前記小径軸部に嵌合している円筒面と、を有し、
前記パッキンは、前記取り付け溝に取り付けられている本体部と、当該本体部から前記ラビリンスリング側に設けられ当該ラビリンスリングの内周面に滑り接触可能である第一接触部と、前記本体部から前記ロール側に設けられ当該ロールに接触可能である第二接触部と、を有している、請求項７に記載の軸受装置。
【請求項９】
軸箱に対して杵型ロールを回転可能として支持するために当該ロールの小径軸部に装着される軸受装置の内輪の軸方向側部に設けられ、当該内輪と前記ロールとの間に外部から水が浸入するのを防止するための密封装置であって、
前記内輪の前記軸方向側部に形成されている取り付け溝に取り付けられる本体部と、
当該本体部から前記ロール側に設けられ当該ロールの一部に接触可能である接触部と、
を有している、密封装置。
【請求項１０】
小径軸部と大径部とを有し、軸受装置によって支持される杵型ロールであって、
前記軸受装置は、請求項１〜８のいずれか一項に記載の軸受装置である、杵型ロール。
【手続補正２】
【補正対象書類名】明細書
【補正対象項目名】発明の名称
【補正方法】変更
【補正の内容】
【発明の名称】軸受装置、杵型ロール、及び密封装置
【手続補正３】
【補正対象書類名】明細書
【補正対象項目名】０００１
【補正方法】変更
【補正の内容】
【０００１】
本発明は、杵型ロールを回転可能として支持する軸受装置、杵型ロール、及び、この軸受装置に設けられる密封装置に関する。
【手続補正４】
【補正対象書類名】明細書
【補正対象項目名】０００８
【補正方法】変更
【補正の内容】
【０００８】
そこで、本発明は、内輪とロールとの間の隙間に水が滞留しないようにして腐食の発生を防ぐことを可能とする軸受装置、前記軸受装置によって支持される杵型ロール、及び、前記腐食の発生を防ぐための密封装置を提供することを目的とする。
【手続補正５】
【補正対象書類名】明細書
【補正対象項目名】００１５
【補正方法】変更
【補正の内容】
【００１５】
また、本発明は、軸箱に対して杵型ロールを回転可能として支持するために当該ロールの小径軸部に装着される軸受装置の内輪の軸方向側部に設けられ、当該内輪と前記ロールとの間に外部から水が浸入するのを防止するための密封装置であって、前記内輪の前記軸方向側部に形成されている取り付け溝に取り付けられる本体部と、当該本体部から前記ロール側に設けられ当該ロールの一部に接触可能である接触部と、を有している。
この密封装置は、内輪の軸方向側部に取り付けられ、ロールの一部に接触して内輪とロールとの間に外部から水が浸入するのを防止することで、これら内輪とロールとの間の隙間に水が滞留しないようにして腐食の発生を防ぐことが可能となる。
また、本発明は、小径軸部と大径部とを有する杵型ロールの当該小径軸部に外嵌する内輪、前記内輪の径方向外側に設けられている筒状の外輪部材、前記内輪と前記外輪部材との間に設けられている複数の転動体、及び、前記外輪部材を支持している軸箱を有する軸受本体と、前記転動体が設けられている軸受内部、及び、前記内輪と前記ロールとの間に、外部から水が浸入するのを防止するための密封構造体と、を備えた軸受装置であって、前記密封構造体は、前記内輪の軸方向側部に取り付けられ前記ロールの一部に接触し当該内輪と当該ロールとの間に外部から水が浸入するのを防止するためのパッキンを有している。
また、この軸受装置において、前記密封構造体は、前記内輪の径方向外側において前記軸受本体に取り付けられ前記ロールの大径部に形成されている凹周溝に一部が入って当該凹周溝との間でラビリンス隙間を形成するラビリンスリングを有し、前記内輪は、前記軸方向側部において、径方向外側から、環状の取り付け溝と、軸方向中央に向かうにしたがって縮径する円弧状面と、前記小径軸部に嵌合している円筒面と、を有し、前記パッキンは、前記取り付け溝に取り付けられている本体部と、当該本体部から前記ラビリンスリング側に設けられ当該ラビリンスリングの内周面に滑り接触可能である第一接触部と、前記本体部から前記ロール側に設けられ当該ロールに接触可能である第二接触部と、を有しているのが好ましい。
また、本発明は、小径軸部と大径部とを有し、前記軸受装置によって支持される杵型ロールである。